(57)【要約】【課題】コントローラへの配線の取り回しを容易とする。【解決手段】バーナ及び熱交換器を有する燃焼室を収容して前面が開口する筐体２を備え、筐体２内の下部に、上側に電装基板３１を、下側左右に漏電ブレーカ３６とリモコン端子台とをそれぞれ収容して前面が開口するボックス本体３２と、そのボックス本体３２の前面を開閉可能な前カバーとを含むコントローラ３０を横向きに設置してなる給湯器において、ボックス本体３２における漏電ブレーカ３６とリモコン端子台との間に、筐体２内の複数の電気部品に接続される中継ハーネス４０の束Ｔをボックス本体３２に後方から貫通させて電装基板３１の前側に引き出し可能とする通し孔４５が形成されている。【選択図】図５
2019066114.tif 000002
【特許請求の範囲】
【請求項１】
バーナ及び熱交換器を有する燃焼室を収容して前面が開口する筐体を備え、前記筐体内の下部に、上側に電装基板を、下側左右に漏電ブレーカとリモコン端子台とをそれぞれ収容して前面が開口するボックス本体と、そのボックス本体の前面を開閉可能な前カバーとを含むコントローラを横向きに設置してなる給湯器であって、
前記コントローラの前記ボックス本体における前記漏電ブレーカと前記リモコン端子台との間に、前記筐体内の複数の電気部品に接続されるハーネスの束を前記ボックス本体に後方から貫通させて前記電装基板の前側に引き出し可能とする通し孔が形成されていることを特徴とする給湯器。
【請求項２】
前記通し孔の下方で前記筐体の底板には、前記漏電ブレーカに接続される電源線の引き込み口が設けられて、前記底板上には、前記引き込み口の上方を覆って前面が開口し、前記通し孔を貫通する前記ハーネスの束との間を仕切って前記電源線を前側へガイドするガイド体が設けられていることを特徴とする請求項１に記載の給湯器。
【請求項３】
前記ガイド体にガイドされた前記電源線は、前記通し孔を貫通した後、前記通し孔を貫通する前記ハーネスの束と前記リモコン端子台との間を通って当該ハーネスの束の上側を回り込んで前記漏電ブレーカに接続されていることを特徴とする請求項２に記載の給湯器。
【発明の詳細な説明】
【技術分野】
【０００１】
本発明は、筐体の内部に、バーナ及び熱交換器を備えた燃焼室を収容すると共に、器具の運転を制御するコントローラを収容した給湯器に関する。
【背景技術】
【０００２】
給湯器は、バーナに加熱される熱交換器に、給水管と出湯管とを接続し、出湯管が繋がる外部の給湯栓の開栓により、外部の水道管を介して給水管から供給される水をバーナの燃焼排気で熱交換して出湯させる給湯回路を備えている。
このような給湯器では、下部にバーナを、上部に熱交換器をそれぞれ配設した燃焼室を収容すると共に、器具の運転を制御するコントローラを収容している。このコントローラは、特許文献１に開示のように、ケース内に、電装基板を備えると共に、漏電ブレーカを収容したものが知られている。また、特許文献２に開示されるように、前面を開口する筐体の開口際へ横向きに設置されて、組み付けやメンテナンスを容易にしたものも知られている。
【先行技術文献】
【特許文献】
【０００３】
【特許文献１】特開２０１４−７３０３１号公報
【特許文献２】特開２０１６−１０８８号公報
【発明の概要】
【発明が解決しようとする課題】
【０００４】
給湯器には、サーミスタや水量センサ等の検出部品や、モータや電磁弁等のアクチュエータ等の複数の電気部品が使用されており、これらの電気部品は、ハーネスを介してコントローラの電装基板に接続される。しかし、各電気部品は筐体内の様々な位置に配置されているため、各電気部品から引き回されるハーネスを整理して電装基板へ配線するのは難しくなっている。特に引用文献２のように左右の幅が狭い筐体内でコントローラが横向きに設置されると、コントローラ自体がハーネスの引き回しの邪魔になり、コントローラを迂回して前側へ引き出す作業が必要になって配線の取り回しが面倒となっていた。
【０００５】
そこで、本発明は、筐体内でコントローラを横向きに設置してもコントローラへの配線の取り回しを容易に行うことができる給湯器を提供することを目的としたものである。
【課題を解決するための手段】
【０００６】
上記目的を達成するために、請求項１に記載の発明は、バーナ及び熱交換器を有する燃焼室を収容して前面が開口する筐体を備え、筐体内の下部に、上側に電装基板を、下側左右に漏電ブレーカとリモコン端子台とをそれぞれ収容して前面が開口するボックス本体と、そのボックス本体の前面を開閉可能な前カバーとを含むコントローラを横向きに設置してなる給湯器であって、
コントローラのボックス本体における漏電ブレーカとリモコン端子台との間に、筐体内の複数の電気部品に接続されるハーネスの束をボックス本体に後方から貫通させて電装基板の前側に引き出し可能とする通し孔が形成されていることを特徴とする。
請求項２に記載の発明は、請求項１の構成において、通し孔の下方で筐体の底板には、漏電ブレーカに接続される電源線の引き込み口が設けられて、底板上には、引き込み口の上方を覆って前面が開口し、通し孔を貫通するハーネスの束との間を仕切って電源線を前側へガイドするガイド体が設けられていることを特徴とする。
請求項３に記載の発明は、請求項２の構成において、ガイド体にガイドされた電源線は、通し孔を貫通した後、通し孔を貫通するハーネスの束とリモコン端子台との間を通って当該ハーネスの束の上側を回り込んで漏電ブレーカに接続されていることを特徴とする。
【発明の効果】
【０００７】
請求項１に記載の発明によれば、コントローラのボックス本体における漏電ブレーカとリモコン端子台との間に、給湯器の筐体内の複数の電気部品に接続されるハーネスの束をボックス本体に後方から貫通させて電装基板の前側に引き出し可能とする通し孔が形成されていることで、コントローラを横向きに設置して左右に狭い筐体の開口を略塞ぐ格好となっても、コントローラへの配線の取り回しを容易に行うことができる。よって、配線やメンテナンス等の作業効率が高まる。
請求項２に記載の発明によれば、請求項１の効果に加えて、通し孔の下方で筐体の底板には、漏電ブレーカに接続される電源線の引き込み口が設けられて、底板上には、引き込み口の上方を覆って前面が開口し、通し孔を貫通するハーネスの束との間を仕切って電源線を前側へガイドするガイド体が設けられているので、引き込み口から電源線を差し込んだ際、ハーネスの束と干渉することなく前側へスムーズに引き出すことができる。
請求項３に記載の発明によれば、請求項２の効果に加えて、ガイド体にガイドされた電源線を、通し孔を貫通させた後、通し孔を貫通するハーネスの束とリモコン端子台との間を通してハーネスの束の上側を回り込ませて漏電ブレーカに接続しているので、電源線を利用してハーネスがばらけることを防止可能となる。
【図面の簡単な説明】
【０００８】
【図１】給湯器の説明図で、（Ａ）が正面、（Ｂ）が側面、（Ｃ）が底面をそれぞれ示す。
【図２】フロントカバーを取り外した筐体の正面図である。
【図３】前カバーを外したコントローラ部分の拡大図である。
【図４】図１のＡ−Ａ線拡大断面図である。
【図５】図２のＢ−Ｂ線拡大断面図である。
【発明を実施するための形態】
【０００９】
以下、本発明の実施の形態を図面に基づいて説明する。
図１は、給湯器１の外観を示す説明図で、（Ａ）は正面、（Ｂ）は側面、（Ｃ）は底面をそれぞれ示している。この給湯器１は、天板３及び底板４、左右の側板５，５及び背板６に囲まれて前面を開口する縦長箱状の筐体２と、その筐体２の前面を閉塞するフロントカバー７とを有し、フロントカバー７の上部に、後述する排気フード２３の前方に設けられた横長筒状の排気口８を突出させている。フロントカバー７の下部及び側部には、吸気口９，９・・が設けられ、背板６の上下には、壁面等への取付用のブラケット１０，１０が取り付けられている。
また、底板４には、水道管を接続するための水入口１１、外部の給湯栓に繋がる外部配管を接続するための湯出口１２、外部の浴槽に繋がる外部配管を接続するための風呂戻り口１３及び風呂往き口１４が設けられている。中央部には、外部のガス配管を接続するためのガス入口１５が設けられて、その前方には、電源線の引き込み口１６が設けられている。
【００１０】
図２は、フロントカバー７を取り外した筐体２内部の正面図である。
筐体２内の上側には、燃焼室２０が配置されている。この燃焼室２０は、複数のバーナユニットを収容する下ケーシング２１と、給湯熱交換器及び風呂熱交換器を収容する上ケーシング２２とを組み付けてなり、上ケーシング２２の上側に排気フード２３が組み付けられている。水入口１１に接続される給水管２４は、燃焼室２０と筐体２の左側の側板５との間を通って上方向に配設され、上ケーシング２２の給湯熱交換器の給湯伝熱管の入口に接続されている。湯出口１２に接続される出湯管２５は、給水管２４の前方で、燃焼室２０と左側の側板５との間を通って上方向に配設され、上ケーシング２２の前方を斜め上向きに横切った後、上ケーシング２２の給湯伝熱管の出口に接続されている。
【００１１】
風呂戻り口１３に接続される風呂戻り管２６は、燃焼室２０と右側の側板５との間を通って上方向に配設され、上ケーシング２２の前方を斜め上向きに横切って出湯管２５の後方で交差した後、上ケーシング２２の風呂熱交換器の風呂伝熱管の入口に接続されている。風呂戻り管２６には図示しないポンプが設けられている。風呂往き口１４に接続される風呂往き管２７は、風呂戻り管２６の後方で燃焼室２０と右側の側板５との間を通って上方向に配設され、上ケーシング２２の風呂熱交換器の風呂伝熱管の出口に接続されている。ガス入口１５に接続される図示しないガス管は、元ガス電磁弁やガス比例弁を経て分岐し、バーナユニットごとに接続されている。燃焼室２０の下部には、図示しない燃焼ファンが設けられている。
この給湯器１は、１つの燃焼室２０に給湯熱交換器と風呂熱交換器とを併設して共通のバーナユニットで加熱する一缶二水路型で、これにより、燃焼室２０の左右幅を小さくして筐体２を左右にコンパクト化している。
【００１２】
また、燃焼室２０の下部で筐体２の開口際には、器具の運転を制御するコントローラ３０が設置されている。
このコントローラ３０は、湯出口１２に接続された外部配管の給湯栓が開栓されて給水管２４から器具内に通水されると、バーナユニットを燃焼させ、給湯熱交換器において水とバーナの燃焼排気とを熱交換させて、出湯管２５及び外部配管を通って給湯栓から出湯させる。また、出湯温度が外部のリモコンで設定された設定温度になるように、バーナユニットの燃焼量（ガス量）や通水量、燃焼ファンの回転数等を制御する出湯温制御を行う。
一方、外部に接続された給湯リモコン又は風呂リモコンの自動スイッチを押すと、コントローラ３０は、バーナユニットを燃焼させて風呂熱交換器において水とバーナの燃焼排気とを熱交換させ、出湯管２５と風呂戻り管２６とを接続する落とし込み管２８（図２，４）を介して出湯管２５から設定量の湯を浴槽に供給する湯張り制御や追い焚き制御等を行う。
【００１３】
次に、コントローラ３０及びその周囲の配線構造について詳述する。
コントローラ３０は、図２，３に示すように、電装基板３１を収容して前面を開口する正面視矩形状のボックス本体３２と、ボックス本体３２の前面を閉塞する前カバー３３とからなる。前カバー３３は、ボックス本体３２へ着脱可能に取り付けられ、前カバー３３を取り外せば、ボックス本体３２の底面に取り付けられている正面視矩形状の電装基板３１が露出する。ボックス本体３２の上面には、下ケーシング２１の前面にネジ止めするためのネジ止め片３４，３４が突設され、下面には、筐体２の底板４の前端に係止する係止片３５が折曲形成されている。
【００１４】
よって、ボックス本体３２を底板４上で係止片３５によって前後方向に位置決めして、ネジ止め片３４，３４を下ケーシング２１にネジ止めすることで、コントローラ３０は筐体２の開口際で横向きに設置される。ネジ止め片３４，３４のネジを取り外せば前方へ取り外し可能となる。筐体２の開口が左右に狭いことで、コントローラ３０は左側を除いて燃焼室２０の下部前方を略閉塞する格好となっている。
電装基板３１は、上下方向の寸法がボックス本体３２よりも短い大きさとなって、ボックス本体３２の上側寄りに取り付けられている。電装基板３１の下側左右でボックス本体３２には、漏電ブレーカ３６と、リモコン接続用のリモコン端子台３７とが、それぞれ端子部を前側にして、且つ互いに端子部が対向する向きで、両者間に間隔をあけて設置されている。
【００１５】
一方、給水管２４や出湯管２５等の各配管に取り付けられるサーミスタや水量センサ等の検出部品や、モータや電磁弁等のアクチュエータ等の複数の電気部品に接続されるハーネス３８，３８・・は、図４，５に示すように、コントローラ３０の後方に集められて、端末に設けたコネクタ３９，３９・・が、中継ハーネス４０の一方のコネクタ４１，４１・・に接続されている。そして、他方のコネクタ４２，４２・・が電装基板３１上の所定のコネクタに接続されることで、検出部品や電気部品は電装基板３１へ電気的に接続される。
【００１６】
ここで、ボックス本体３２の後面における電装基板３１の下側には、前側へ凹む段部４３が形成されて、ボックス本体３２の下部は、漏電ブレーカ３６及びリモコン端子台３７を受ける浅底部４４となっている。この浅底部４４における漏電ブレーカ３６とリモコン端子台３７との間には、中継ハーネス４０，４０・・の通し孔４５が開口形成されており、コントローラ３０の後方でハーネス３８，３８・・に接続された中継ハーネス４０，４０・・の束Ｔは、通し孔４５を貫通してボックス本体３２内の浅底部４４に引き出されて、その上方の電装基板３１上のコネクタやリモコン端子台３７に接続されている。
【００１７】
底板４の引き込み口１６から引き込まれる電源線４６も、通し孔４５からボックス本体３２の下部に引き出されて漏電ブレーカ３６に接続される。しかし、通し孔４５は、引き込み口１６の上方前側に位置しているため、引き込み口１６から引き込まれる電源線４６と中継ハーネス４０の束Ｔとが干渉しないように、底板４には、引き込み口１６の上方及び後方、左右の側方を囲んで前面を開口するキャップ状のガイド体４７が取り付けられている。よって、中継ハーネス４０の束Ｔは、電源線４６との間を仕切るガイド体４７の上方を通って通し孔４５を貫通し、電源線４６は、引き込み口１６からガイド体４７内を通って前方へ引き出されるため、互いに邪魔になることなく上下に配線できる。
【００１８】
そして、ガイド体４７から通し孔４５を貫通してボックス本体３２内に引き出された電源線４６は、漏電ブレーカ３６の左側下部の入力端子４８に接続される。しかし、ここでは通し孔４５から直線状に引き回されず、図３に示すように、一旦中継ハーネス４０の束Ｔとリモコン端子台３７との間を通して上側へ引き出され、中継ハーネス４０の束Ｔの上側を回り込んで迂回部４６ａを形成した後、右側へ引き回されて、漏電ブレーカ３６の入力端子４８に接続されるようになっている。こうして中継ハーネス４０の束Ｔを迂回するようにその外側を巻回した後、漏電ブレーカ３６に接続されることで、迂回部４６ａにより中継ハーネス４０の束Ｔがばらけることを防止できるようになっている。なお、漏電ブレーカ３６の左側上部の出力端子４９に接続されたハーネス５０，５０は、漏電ブレーカ３６の後方を通って電装基板３１に接続される。また、リモコン端子台３７には、迂回部４６ａを位置決めするクリップ５１が設けられて、中継ハーネス４０の束Ｔを迂回する形状を保持させるようにしている。
【００１９】
以上の如く構成された給湯器１においては、コントローラ３０にハーネス３８及び中継ハーネス４０を配線して組み付ける際には、各ハーネス３８に接続した中継ハーネス４０の束Ｔを、通し孔４５を利用して電装基板３１の下側近傍でボックス本体３２に貫通させることができるため、ボックス本体３２の前後での各ハーネス３８，４０の接続作業及び電装基板３１への中継ハーネス４０の接続作業を楽に行うことができる。
また、電源線４６も同様に引き込み口１６から通し孔４５を利用して漏電ブレーカ３６の側方近傍でボックス本体３２に貫通させることができる上、ガイド体４７によって中継ハーネス４０の束Ｔとの干渉も生じないため、引き込み口１６から前方へスムーズに引き出して漏電ブレーカ３６への接続を簡単に行うことができる。
こうして配線したボックス本体３２に前カバー３３を被せて筐体２内で位置決めして固定すれば、コントローラ３０の組み付けは完了する。
【００２０】
メンテナンスの際も前カバー３３を取り外せば、電装基板３１及び漏電ブレーカ３６、リモコン端子台３７が最前方で露出するため、中継ハーネス４０や電源線４６の交換といったメンテナンスも容易に行える。
特にここでは、給水管２４や出湯管２５、風呂戻り管２６、風呂往き管２７等の各配管は、正面視でコントローラ３０の側方或いは後方に配設されて前側に位置しないので、フロントカバー７を取り外せば、コントローラ３０自体の着脱も配管が邪魔になることなく行える。
【００２１】
このように、上記形態の給湯器１によれば、コントローラ３０のボックス本体３２における漏電ブレーカ３６とリモコン端子台３７との間に、筐体２内の複数の電気部品に接続される中継ハーネス４０の束Ｔをボックス本体３２に後方から貫通させて電装基板３１の前側に引き出し可能とする通し孔４５が形成されていることで、コントローラ３０を横向きに設置して左右に狭い筐体２の開口を略塞ぐ格好となっても、コントローラ３０への配線の取り回しを容易に行うことができる。よって、配線やメンテナンス等の作業効率が高まる。
【００２２】
特にここでは、通し孔４５の下方で筐体２の底板４には、漏電ブレーカ３６に接続される電源線４６の引き込み口１６が設けられて、底板４上には、引き込み口１６の上方を覆って前面が開口し、通し孔４５を貫通する中継ハーネス４０の束Ｔとの間を仕切って電源線４６を前側へガイドするガイド体４７が設けられているので、引き込み口１６から電源線４６を差し込んだ際、中継ハーネス４０の束Ｔと干渉することなく前側へスムーズに引き出すことができる。
また、ガイド体４７にガイドされた電源線４６を、通し孔４５を貫通させた後、通し孔４５を貫通する中継ハーネス４５の束Ｔとリモコン端子台３７との間を通して中継ハーネス４０の束Ｔの上側を回り込ませて漏電ブレーカ３６に接続しているので、電源線４６を利用して中継ハーネス４０がばらけることを防止可能となる。
【００２３】
なお、上記形態では、右側に漏電ブレーカ、左側にリモコン端子台を設けているが、左右逆であってもよい。この場合、引き込み口から引き込まれた電源線は、右側からハーネスの束を迂回して左側の漏電ブレーカに接続されることになる。
また、上記形態では、ボックス本体の下部に浅底部を形成して通し孔を設けているが、浅底部とせずに通し孔を設けてもよい。さらに、通し孔の位置は左右方向の中央に限らず、漏電ブレーカとリモコン端子台との形状や配置によっては左右何れかへずれていても差し支えない。
【００２４】
一方、電源線のハーネスの束への巻回（迂回部）は省略してもよいし、通し孔と引き込み口とが左右にずれる場合には、電源線用の通し孔をハーネス用と別に形成してもよい。ハーネス自体も上記形態に限らず、中継ハーネスを用いずに電気部品から電装基板まで繋がるハーネスであっても、通し孔による配線は可能である。
また、ガイド体の形状も上記形態に限らず、底板から切り起こし形成したり、引き込み口と一体に形成したりしてもよい。さらに、通し孔と引き込み口との左右のずれ等によってハーネスの束との干渉のおそれが小さければ、ガイド体を省略することもできる。
【００２５】
その他、給湯器自体の構成も、一缶二水路型に限らず、風呂回路がなく給湯回路のみ有するものであったり、潜熱回収用の熱交換器を備えたものであったりしても、本発明は適用可能である。
【符号の説明】
【００２６】
１・・給湯器、２・・筐体、４・・底板、７・・フロントカバー、１６・・引き込み口、２０・・燃焼室、３０・・コントローラ、３１・・電装基板、３２・・ボックス本体、３３・・前カバー、３６・・漏電ブレーカ、３７・・リモコン端子台、３８・・ハーネス、３９，４１，４２・・コネクタ、４０・・中継ハーネス、４３・・段部、４４・・浅底部、４５・・通し孔、４６・・電源線、４７・・ガイド体。
【図１】
2019066114.tif 000003
【図２】
2019066114.tif 000004
【図３】
2019066114.tif 000005
【図４】
2019066114.tif 000006
【図５】
2019066114.tif 000007